(57)【要約】【課題】太陽光エネルギーの普及に寄与しつつ農地を活用することができる植物生育方法及び植物生育システムを提供すること。【解決手段】太陽光パネルが設置された農地において植物を生育するための植物生育方法は、太陽光パネルの裏面側に設けられたＬＥＤ照明装置を用いて、前記農地で生育されている植物の表面における光の光量子束密度が６０μｍｏｌ／ｍ2・ｓ以上となるように、前記植物に対して光を照射する工程を含むことを特徴とする。【選択図】図２
2018198551.tif 000002
【特許請求の範囲】
【請求項１】
太陽光パネルが設置された農地において植物を生育するための植物生育方法であって、
太陽光パネルの裏面側に設けられたＬＥＤ照明装置を用いて、前記農地で生育されている植物の表面における光の光量子束密度が６０μｍｏｌ／ｍ2・ｓ以上となるように、前記植物に対して光を照射する工程を含むことを特徴とする方法。
【請求項２】
太陽光パネルが設置された農地において植物を生育するための植物生育方法であって、
前記太陽光パネルの裏面側に設けられたＬＥＤ照明装置と農地との間に照射されている光の照度を測定する照度計が４，０００ルクス以下の照度を示した場合に、前記ＬＥＤ照明装置を用いて、前記農地で生育されている植物に対して光を照射する工程を含むことを特徴とする方法。
【請求項３】
前記照射する工程は、前記植物の表面における光の光量子束密度が６０μｍｏｌ／ｍ2・ｓ以上となるように植物に対して光を照射することを含む請求項２に記載の方法。
【請求項４】
前記農地で生育された植物の収量が、太陽電池パネル及びＬＥＤ照明装置を設置しない状態の前記農地で生育された植物の収量の８割以上である請求項１〜３のいずれかに記載の方法。
【請求項５】
農地において植物を生育するための植物生育システムであって、
受光面及びその裏面を有する太陽電池パネルと、
前記太陽電池パネルの裏面側に取り付けられたＬＥＤ照明装置と、
前記ＬＥＤ照明装置と農地との間に照射されている光の照度を測定する照度計とを備え、
前記照度計が４，０００ルクス以下の照度を示した場合に、前記ＬＥＤ照明装置から前記農地で生育されている植物に対して光を照射するよう、前記ＬＥＤ照明装置から照射される光の光量子束密度を設定することを特徴とする植物生育システム。
【請求項６】
前記植物の表面における光の光量子束密度が６０μｍｏｌ／ｍ2・ｓ以上となるよう、前記ＬＥＤ照明装置から照射される光の光量子束密度を設定することを特徴とする請求項５に記載の植物生育システム。
【発明の詳細な説明】
【技術分野】
【０００１】
本発明は、農地において植物を生育するための植物生育方法及び植物生育システムに関する。
【背景技術】
【０００２】
再生エネルギーの導入と普及促進に伴い、一定条件下、太陽光発電事業のための農地の活用が認められている。具体的には、農林水産省「支柱を立てて営農を継続する太陽光発電設備等についての農地転用許可制度上の取扱いについて」平成25年3月31日付）によれば、太陽光パネルを設置した下部の農地における営農の適切な継続が確実で、パネル設置にあたっては農作物の生育に適した日射量を保つ設計でなければならず、下部の農地における単収が、同じ年の地域の平均的な単収と比較して8割以上でなければならない。
【０００３】
これを解決するためには、ソーラーパネルの下部の農地が日照不足になるのを防ぐため、ソーラーパネルの間隔を空ける必要があるが、ソーラーパネルの間隔を空けると農地面積あたりの発電量が大幅に減少する。
【０００４】
特許文献１は太陽光発電システムに関し、太陽電池パネルの取り付け架台における空きスペースの有効利用を図る手段を提供するために、太陽電池パネルの下に植物栽培装置を設置し、ＬＥＤ照明装置を太陽電池パネルの裏面に一体となるよう取り付けることが記載されている。
【０００５】
特許文献２は太陽光発電及び植物生育システムに関し、光が太陽光パネルにより遮断されて植物の成長ができなくなる不都合を解決するために太陽光パネルの下面にランプを配することが記載されている。
【先行技術文献】
【特許文献】
【０００６】
【特許文献１】特開2013-214644
【特許文献２】実用新案登録第3168944号
【発明の概要】
【発明が解決しようとする課題】
【０００７】
しかしながら、特許文献１の太陽光発電システムは、太陽電池パネルの取り付け架台における空きスペースの有効利用を図ることを目的としているため、太陽電池パネルの下部の農作物の生育状態については着目しておらず、農作物の生育に必要な光の照射量、照射時間等については具体的に検討されていない。
【０００８】
特許文献２についても、実際に農作物を生育させた実施例は記載されておらず、農作物の生育に必要な光の照射量、照射時間等については具体的に検討されていない。
【０００９】
特許文献１及び特許文献２のいずれの文献も、太陽電池パネル下で我が国の制度に合致する生育レベルに農作物を生育するために必要な条件については記載していない。
【００１０】
本発明の課題は、太陽光エネルギーの普及に寄与しつつ農地を活用することができる植物生育方法及び植物生育システムを提供することにある。
【課題を解決するための手段】
【００１１】
本発明は、以下の項に記載の主題を包含する。
［１］太陽光パネルが設置された農地において植物を生育するための植物生育方法であって、
太陽光パネルの裏面側に設けられたＬＥＤ照明装置を用いて、前記農地で生育されている植物の表面における光の光量子束密度が６０μｍｏｌ／ｍ2・ｓ以上となるように、前記植物に対して光を照射する工程を含むことを特徴とする方法。
［２］太陽光パネルが設置された農地において植物を生育するための植物生育方法であって、
前記太陽光パネルの裏面側に設けられたＬＥＤ照明装置と農地との間に照射されている光の照度を測定する照度計が４，０００ルクス以下の照度を示した場合に、前記ＬＥＤ照明装置を用いて、前記農地で生育されている植物に対して光を照射する工程を含むことを特徴とする方法。
［３］前記照射する工程は、前記植物の表面における光の光量子束密度が６０μｍｏｌ／ｍ2・ｓ以上となるように植物に対して光を照射することを含む［２］に記載の方法。
［４］前記農地で生育された植物の収量が、太陽電池パネル及びＬＥＤ照明装置を設置しない状態の前記農地で生育された植物の収量の８割以上である［１］〜［３］のいずれかに記載の方法。
［５］農地において植物を生育するための植物生育システムであって、
受光面及びその裏面を有する太陽電池パネルと、
前記太陽電池パネルの裏面側に取り付けられたＬＥＤ照明装置と、
前記ＬＥＤ照明装置と農地との間に照射されている光の照度を測定する照度計とを備え、
前記照度計が４，０００ルクス以下の照度を示した場合に、前記ＬＥＤ照明装置から前記農地で生育されている植物に対して光を照射するよう、前記ＬＥＤ照明装置から照射される光の光量子束密度を設定することを特徴とする植物生育システム。
［６］前記植物の表面における光の光量子束密度が６０μｍｏｌ／ｍ2・ｓ以上となるよう、前記ＬＥＤ照明装置から照射される光の光量子束密度を設定することを特徴とする［５］に記載の植物生育システム。
【発明の効果】
【００１２】
本発明によれば、太陽パネルの下でも植物が十分に生育できる。このため、太陽光エネルギーの普及に寄与しつつ農地を活用することができ、一石二鳥である。
【図面の簡単な説明】
【００１３】
【図１】本発明の一実施形態の植物生育システムの略斜視図。
【図２】図１の植物生育システムの略正面図。
【図３】図２のＬＥＤ照明装置及び照度計の部分拡大底面図。
【図４】オーチャードグラスの生育日数に対する平均草丈を示すグラフ。
【図５】ペレニアルライグラスの生育日数に対する平均草丈を示すグラフ。
【図６】オーチャードグラス及びペレニアルライグラスを、０μｍｏｌ／ｍ2・ｓ、３０μｍｏｌ／ｍ2・ｓ、６０μｍｏｌ／ｍ2・ｓ及び９０μｍｏｌ／ｍ2・ｓの光量子束密度の光が照射される条件で生育したときの播種後４０日目（０μｍｏｌ／ｍ2・ｓ並びに３０μｍｏｌ／ｍ2・ｓ）及び播種後４２日目（６０μｍｏｌ／ｍ2・並びに９０μｍｏｌ／ｍ2・ｓ）の地上部茎葉の平均乾燥重量を示すグラフ。
【発明を実施するための形態】
【００１４】
以下、本発明の実施形態を図１〜３を参照して説明する。
【００１５】
図１及び２に示すように、本発明における一実施形態の、農地において植物を生育するための植物生育システム１は、太陽電池パネル２と、ＬＥＤ照明装置６と、照度計８とを備えている。太陽電池パネル２は太陽光の受光面４及びその裏面５を有する。ＬＥＤ照明装置６は太陽電池パネル２の裏面５の側に取り付けられ、ＬＥＤ照明装置６は、農地９で生育されている植物１０、特にはＬＥＤ照明装置６の下方の農地９で生育されている植物１０を照射する。なお、ＬＥＤ照明装置６は太陽電池パネル２の裏面５に取り付けられてもよいが、太陽電池パネル２の裏面５から離間していてもよい。またＬＥＤ照明装置６は、太陽電池パネル２とは独立に離間して設置されてもよい。
【００１６】
農地９は田、畑、牧草地等であることができ、牧草地であることが好ましい。また、植物１０は好ましくは農作物である。農作物としては、水稲、陸稲、麦、トウモロコシ、イモ、豆等の普通作物；牧草、ソルゴー等の飼料作物；レンゲ、マリーゴールド、ウマゴヤシ等の緑肥作物；野菜、果樹、花き等の園芸作物；工芸作物；が挙げられる。植物１０は飼料作物であることが好ましく、牧草であることがより好ましい。
【００１７】
太陽電池パネル２には光電変換素子が内蔵されており、受光面４を介して光電変換素子に入った光は電気に変換される。発電された電力はＬＥＤ照明装置６の点灯に使用し、余剰の電力を電力会社に販売する構成とすることもできるし、あるいはＬＥＤ照明装置６の電源は外部電源によって供給され、太陽電池パネル２にて発電された電力はすべて電力会社に販売する構成とすることもできる。発電された電力または外部供給される電力を太陽電池パネル２内のリチウム電池等の充電池に貯蔵すれば、かかる貯蔵電力を夜間や曇天、雨天時のＬＥＤ照明装置６の点灯に用いることもできる。このような構成の太陽電池パネル２は公知であり、市販品を利用することができる。
【００１８】
ＬＥＤ照明装置６は、太陽電池パネル２と対面する側と反対の面として略矩形のＬＥＤ照射面１１ＬＥＤ照射面１１を有し、図３に示すように、ＬＥＤ照射面１１には複数（図では１６０個）のＬＥＤのアレイ１２が配置されている。ＬＥＤとしては、赤色ＬＥＤ、緑色ＬＥＤ、青色ＬＥＤ、白色ＬＥＤを生育する植物の種類に応じて適宜選択して使用することができる。
【００１９】
本実施形態ではＬＥＤ照明装置６は巻き上げ式であり、太陽電池パネル２の裏面５に取り付けられた支柱、パイプ又は紐等の長尺部材７を伝って農地９に対して略垂直方向に上下移動が可能である。ＬＥＤ照明装置６は、より強い光で植物１０を照射するため、植物１０にできるだけ近い位置にあることが好ましい。ＬＥＤ照明装置６が巻き上げ式に移動可能であるため、図２に示すように、最初は実線で示す位置にＬＥＤ照明装置６を地面に対し略平行に配置し、植物１０の成長に合わせて矢印の方向に地面に略平行にＬＥＤ照明装置６を巻き上げて上昇させ、太陽電池パネル２に近づいたら点線で示す位置で太陽電池パネル２に沿って収容されるように、ＬＥＤ照明装置６の高さを調節することができる。巻き上げ式にすると、例えば植物１０として牧草等の飼料作物を生育した場合には、ＬＥＤ照明装置６を巻き上げてから牛を農地９に導入して放牧し、牛に植物１０を摂食させることもできるため便利である。ＬＥＤ照明装置６は市販品を利用することができる。
【００２０】
照度計８は、ＬＥＤ照明装置６と農地９との間に照射されている光の照度を測定するためのものであり、本実施形態では、ＬＥＤ照明装置６の下方の農地９で生育されている植物１０に照射されている光の照度を測定する。照度計８は、ＬＥＤ照明装置６と農地９の間、特にはＬＥＤ照明装置６とＬＥＤ照明装置６の下方の農地９で生育されている植物１０との間の任意の位置に取り付けられ得る。本実施形態では照度計８はＬＥＤ照明装置６に取り付けられるが、ＬＥＤ照明装置６とは独立に農地９に立設した支柱等の器具に取り付けてもよい。
【００２１】
ＬＥＤ照明装置６における照度計８の位置は特に限定されないが、図３に示すようにＬＥＤ照射面１１の長手方向に沿ったほぼ中央に配置されてもよいし、ＬＥＤ照射面１１の縁部又は角部に配置されてもよい。照度計８は市販品を利用することができる。
【００２２】
植物生育システム１は、照度計８が４，０００ルクス以下の照度を示した場合に、ＬＥＤ照明装置６から、農地９で生育されている植物１０、特にＬＥＤ照明装置６の下方の農地９で生育されている植物１０に照射するよう、ＬＥＤ照明装置６から照射される光の光量子束密度を設定する。光量子束密度は光量子計で測定することができる。測定箇所は少なくとも１箇所でよく、１箇所の測定値でもよいし、複数箇所を測定してその測定値の平均を求めてもよい。
【００２３】
ＬＥＤ照明装置６から照射される光の光量子束密度の設定は、植物の育成者又は事業者等の作業者が照度計８の値を見て、手動で行ってもよいし、自動で行ってもよい。照度の不足分をＬＥＤで自動的に補うことにより、植物１０の十分な生育が可能となる。また、以下の実施形態における、照度計８が３，０００ルクス又は４，０００ルクス以下の照度を示した場合のＬＥＤ照明装置６から照射される光の光量子束密度の設定は、農地９の任意の農作物の照射の目的で行うことができるが、農地９は牧草地であることが好ましい。また、植物１０はオーチャードグラス及びペレニアルライグラスから選択される少なくとも一方であることが好ましい。
【００２４】
ＬＥＤ照明装置６から照射される（ＬＥＤ照明装置６が照射する）光の光量子束密度は、高い程植物１０の生育が向上する。このため光量子束密度は、植物１０の生育の点では、２０μｍｏｌ／ｍ2・ｓ以上であることが好ましく、６０μｍｏｌ／ｍ2・ｓ以上であることがより好ましく、７０μｍｏｌ／ｍ2・ｓ以上であることがより好ましく、８０μｍｏｌ／ｍ2・ｓ以上であることがより好ましく、９０μｍｏｌ／ｍ2・ｓ以上であることがより好ましく、１００μｍｏｌ／ｍ2・ｓ以上であることがより好ましく、１５０μｍｏｌ／ｍ2・ｓ以上であることがより好ましく、２００μｍｏｌ／ｍ2・ｓ以上であることがより好ましく、２００μｍｏｌ／ｍ2・ｓを超えることがより好ましい。ただし、消費電力の省略の点では光量子束密度は低い方が好ましいため、ＬＥＤ照明装置６から照射される光の光量子束密度は、２０μｍｏｌ／ｍ2・ｓ以上２００μｍｏｌ／ｍ2・ｓ以下であることが好ましく、６０μｍｏｌ／ｍ2・ｓ以上２００μｍｏｌ／ｍ2・ｓ以下であることがより好ましい。
【００２５】
また、ＬＥＤ照明装置６からの光は、植物の表面における光の光量子束密度が２０μｍｏｌ／ｍ2・ｓ以上、好ましくは３０μｍｏｌ／ｍ2・ｓ以上、より好ましくは４０μｍｏｌ／ｍ2・ｓ以上、より好ましくは５０μｍｏｌ／ｍ2・ｓ以上、より好ましくは６０μｍｏｌ／ｍ2・ｓ以上、より好ましくは７０μｍｏｌ／ｍ2・ｓ以上、より好ましくは８０μｍｏｌ／ｍ2・ｓ以上、より好ましくは９０μｍｏｌ／ｍ2・ｓ以上、より好ましくは１００μｍｏｌ／ｍ2・ｓ以上、より好ましくは１１０μｍｏｌ／ｍ2・ｓ以上、より好ましくは１２０μｍｏｌ／ｍ2・ｓ以上、より好ましくは１３０μｍｏｌ／ｍ2・ｓ以上、より好ましくは１４０μｍｏｌ／ｍ2・ｓ以上、より好ましくは１５０μｍｏｌ／ｍ2・ｓ以上、より好ましくは１６０μｍｏｌ／ｍ2・ｓ以上、より好ましくは１７０μｍｏｌ／ｍ2・ｓ以上、より好ましくは１８０μｍｏｌ／ｍ2・ｓ以上、より好ましくは１９０μｍｏｌ／ｍ2・ｓ以上、より好ましくは２００μｍｏｌ／ｍ2・ｓ以上、より好ましくは２００μｍｏｌ／ｍ2・ｓを超えるように照射されることが好ましく、植物の表面における光の光量子束密度が、好ましくは２０μｍｏｌ／ｍ2・ｓ以上２００μｍｏｌ／ｍ2・ｓ以下、より好ましくは６０μｍｏｌ／ｍ2・ｓ以上２００μｍｏｌ／ｍ2・ｓ以下であるようにＬＥＤ照明装置６からの光が植物に対して照射されることがより好ましい。
【００２６】
一つの実施形態では、植物生育システム１は、照度計８が３，０００ルクス以下の照度を示した場合に、ＬＥＤ照明装置６からの光を、農地９で生育されている植物１０に照射するよう、ＬＥＤ照明装置６から照射される光の光量子束密度を設定する。
【００２７】
一つの実施形態では、植物生育システム１は、照度計８が４，０００ルクス以下の照度を示した場合に、農地９で生育されている植物１０の表面における光の光量子束密度が６０μｍｏｌ／ｍ2・ｓ以上となるよう、ＬＥＤ照明装置６から照射される光の光量子束密度を設定する。
【００２８】
別の実施形態では、植物生育システム１は、照度計８が４，０００ルクス以下の照度を示した場合に、農地９で生育されている植物１０の表面における光の光量子束密度が９０μｍｏｌ／ｍ2・ｓ以上となるよう、ＬＥＤ照明装置６から照射される光の光量子束密度を設定する。
【００２９】
また別の実施形態では、植物生育システム１は、照度計８が３，０００ルクス以下の照度を示した場合に、ＬＥＤ照明装置６からの光を、農地９で生育されている植物１０に照射するよう、ＬＥＤ照明装置６から照射される光の光量子束密度を設定する。
【００３０】
さらに別の実施形態では、植物生育システム１は、照度計８が３，０００ルクス以下の照度を示した場合に、農地９で生育されている植物１０の表面における光の光量子束密度が６０μｍｏｌ／ｍ2・ｓ以上となるよう、ＬＥＤ照明装置６から照射される光の光量子束密度を設定する。
【００３１】
なお別の実施形態では、植物生育システム１は、照度計８が３，０００ルクス以下の照度を示した場合に、農地９で生育されている植物１０の表面における光の光量子束密度が９０μｍｏｌ／ｍ2・ｓ以上となるよう、ＬＥＤ照明装置６から照射される光の光量子束密度を設定する。
【００３２】
驚くべきことに、本願では、植物１０の表面における光量子束密度が６０μｍｏｌ／ｍ2・ｓ及び９０μｍｏｌ／ｍ2・ｓとなるようＬＥＤ照明装置６からの光を照射した場合に、植物１０にＬＥＤ照明装置６からの光を照射しなかった場合、植物１０の表面における光量子束密度が３μｍｏｌ／ｍ2・ｓとなるよう光を照射した場合、及び植物１０の表面における光量子束密度が３０μｍｏｌ／ｍ2・ｓとなるよう光を照射した場合に比べて、植物が大幅に生育した。６０μｍｏｌ／ｍ2・ｓ及び９０μｍｏｌ／ｍ2・ｓをルクスに換算するとそれぞれ３２４０ルクス及び４８６０ルクス程度となるが、この程度の光を植物１０に照射すれば、太陽パネルによる太陽光エネルギーの普及のために農地を活用するのに十分な程度に植物１０を生育させることができる。
【００３３】
ＬＥＤ照明装置６からの光を照射する期間は、植物１０の播種から収穫までの全期間であってもよいし、該全期間の日数のうちの９０％以上、８０％以上、７０％以上、６０％、５０％以上、４０％以上、３０％以上、２０％以上、又は１０％以上であってもよい。また、ＬＥＤ照明装置６からの光は晴天、曇天、雨天のいずれに照射してもよいし、曇天と雨天のみに照射してもよい。さらに、一日のうちの照射時間は昼間（日の出から日没まで）と夜間（日没から日の出まで）のサイクルに合わせてもよいし、１２時間照明−１２時間消灯（例えば午前６時−午後６時照明／午後６時−午前６時消灯又は午前７時−午後７時照明／午後７時−午前７時消灯）としてもよいし、植物の種類に応じて適宜決定することができる。
【００３４】
本発明は、太陽光パネルが設置された農地において植物を生育するための植物生育方法であって、太陽電池パネルの裏面側に設けられたＬＥＤ照明装置を用いて、前記農地で生育されている植物の表面における光の光量子束密度が６０μｍｏｌ／ｍ2・ｓ以上となるように、前記植物に対して光を照射する工程を含むことを特徴とする方法を包含する。
【００３５】
本発明はまた、太陽光パネルが設置された農地において植物を生育するための植物生育方法であって、太陽光パネルの裏面側に設けられたＬＥＤ照明装置と農地との間に照射されている光の照度を測定する照度計が４，０００ルクス以下の照度を示した場合に、ＬＥＤ照明装置を用いて、農地で生育されている植物に対して光を照射する工程を含むことを特徴とする方法を包含する。
【００３６】
上記の植物生育方法において、植物に照射される光の光量子束密度及び光の照射期間の例は、上記に示した通りである。
【００３７】
特に、農地９で生育された植物１０の収量が、太陽電池パネル２及びＬＥＤ照明装置６を設置しない状態の同じ農地９で生育された植物１０の収量の８割以上である場合には、現行の政府の制度による再生エネルギー普及のための農地の転用が可能であるため、太陽光エネルギーの普及に寄与しつつ農地を活用することができる。
【００３８】
上記において、ＬＥＤ照明装置６の下方の農地９で生育された植物１０の収量が、太陽電池パネル２及びＬＥＤ照明装置６を設置しない状態のＬＥＤ照明装置６の下方の農地９で生育された植物１０の収量の８割以上であるようにしてもよい。
【００３９】
なお、一実施形態において、植物１０の収量とは、ある一定期間植物１０を生育した後の平均丈を指す。平均丈は５株、１０株、２０株等の植物１０の丈の測定値の合計から株数を割って求めることができる。別の実施形態において、植物１０の収量とは、ある一定期間植物１０を生育した後の地上部の生重量、乾燥重量又はそれらのいずれかの平均値を指す。さらに別の実施形態において、植物１０の収量とは、ある一定期間植物１０を生育した後の収穫物の生重量、乾燥重量又はそれらのいずれかの平均値を指す。
【００４０】
以下に実施例を挙げて本発明をより具体的に説明するが、本発明はこれらに限定されない。
【実施例】
【００４１】
実施例  牧草生育試験
（実施方法）
１／５，０００ａワグネルポット (以下、ポットと呼ぶ)に、花・野菜用栽培用の市販の培養土を詰め、手で培養土を鎮圧し、このとき，ポットの口から３−６ｃｍ程度土が沈むようにした。播種草種は、オーチャードグラス及びペレニアルライグラスの種子を使用した。培養土に種子を１ポットあたり30粒播き、２−３ｍｍ覆土し、手で鎮圧した。
【００４２】
発芽後、苗を間引いて１ポットあたり５−８個体とし、各ポットあたりの苗数を同じにした。生育温度は２５℃とし、照射条件は、生育期間中毎日１２時間明期、１２時間暗期とした。ＬＥＤ照明として、ＲＲＢ−ＬＥＤ（６６０ｎｍ波長の赤色ＬＥＤ２個及び４４５ｎｍ波長の青色ＬＥＤ１個）を使用した。ポットを棚に配置し、ＲＲＢ−ＬＥＤをポットの上方に設置し、各ポットの土の表面に光量子計を配置し、各試験区の光量子束密度 (ｐｐＦ)が３μｍｏｌ／ｍ2・ｓ、３０μｍｏｌ／ｍ2・ｓ、６０μｍｏｌ／ｍ2・ｓ、及び９０μｍｏｌ／ｍ2・ｓとなるようポットの高さを調整した。各試験区の光量子束密度は、各ポットにおける光量子計の測定値の平均値を計算することにより求めた。水やりは全てのポットに同量の水を一定間隔で与え、５０ｍＬを一日一回とした。各試験区は３反復とした。
【００４３】
播種後２週間は、発芽実生数とその草丈を記録し、播種後３週間以降は、草丈を測定した。平均草丈は、各ポットの１株当たりの草丈の平均値（ｃｍ）を算出した。
【００４４】
播種後４０日目（光強度３μｍｏｌ／ｍ2・ｓ、３０μｍｏｌ／ｍ2・ｓ試験区）又は４２日目（光強度６０μｍｏｌ／ｍ2・ｓ、９０μｍｏｌ／ｍ2・ｓ試験区）に、生育物を収穫し、茎葉地上部の各ポット中の１株当たりの平均乾燥重量（ｍｇ）を測定した。
（結果）
図４に示すように、いずれの試験区でも経過日数と共にオーチャードグラスの平均草丈は増大したが、特に、光量子束密度が６０μｍｏｌ／ｍ2・ｓ及び９０μｍｏｌ／ｍ2・ｓの試験区での植物の生育は顕著であった。
【００４５】
図５に示すように、ペレニアルライグラスの場合もいずれの試験区でも経過日数と共にオーチャードグラスの平均草丈は増大したが、特に、光量子束密度が６０μｍｏｌ／ｍ2・ｓ及び９０μｍｏｌ／ｍ2・ｓの試験区での植物の生育は顕著であった。ＬＥＤからの光の照射強度が大きいほど、地上部茎葉の平均乾燥重量は大きくなり、特に光量子束密度が６０μｍｏｌ／ｍ2・ｓ及び９０μｍｏｌ／ｍ2・ｓの試験区での植物の生育は顕著であった。
【００４６】
図６に示すように、オーチャードグラス及びペレニアルライグラスのいずれの場合も、いずれの試験区でも経過日数と共にオーチャードグラスの平均草丈は増大したが、特に、光量子束密度が６０μｍｏｌ／ｍ2・ｓ及び９０μｍｏｌ／ｍ2・ｓの試験区での植物の収量の増大は顕著であった。
【００４７】
以上のように、本発明は、太陽電池パネルによって照度が低下することにより阻害される農作物の生育をＬＥＤで補償するものである。牧草に照射される光の光量子束密度を６０μｍｏｌ／ｍ2・ｓから９０μｍｏｌ／ｍ2・ｓ程度とすると、牧草が良好な生育を示すことが明らかとなった。
【符号の説明】
【００４８】
１・・・植物生育システム、２…太陽電池パネル、４…受光面、５…裏面、６…ＬＥＤ照明装置、８…照度計、９…農地、１０…植物。
【図１】
2018198551.tif 000003
【図２】
2018198551.tif 000004
【図３】
2018198551.tif 000005
【図４】
2018198551.tif 000006
【図５】
2018198551.tif 000007
【図６】
2018198551.tif 000008